Podtech/llm-jp-corpus-v4-ja_patent huggingface dataset:
(57)【要約】【課題】骨盤を強力に補強し、保護する骨盤補強ベルトを提供すること。【解決手段】人体の骨盤部を保護する多重構造の帯状本体から構成され、帯状本体は人体に直接触れて胴部を締付ける伸縮生地で、最も長いメッシュ構造のベルト本体と、その表面に重なり、稍々短く幅狭で強い弾力性を保有する伸縮可能で端部が固定されている二重構造の補助ベルトと、ベルト本体の裏面側の左右両側において骨盤部に重合し、取付けられる繊維材の伸縮重合片とから成り立ち、補助ベルトは中間部の連絡片により本体に接続し、左右両端にファスナーにより着脱可能に取付けたこと。【選択図】    図１
2004261430.tif 000002
【特許請求の範囲】
【請求項１】
人体の骨盤部を保護する多重構造の帯状本体から構成され、帯状本体は人体に直接触れて胴部を締付ける伸縮生地で、最も長いメッシュ構造のベルト本体と、その表面に重なり、稍々短く幅狭で強い弾力性を保有する伸縮可能で端部が固定されている二重構造の補助ベルトと、ベルト本体の裏面側の左右両側において骨盤部に重合し、取付けられる繊維材の伸縮重合片とから成り立ち、補助ベルトは中間部の連絡片により本体に接続し、左右両端にはファスナーにより着脱可能に取付けた骨盤補強ベルト。
【発明の詳細な説明】
【０００１】
【発明の属する技術分野】
本発明は、人体の骨盤部を医学的に保護し、骨盤の歪みやずれを矯正する骨盤補強ベルトに関するものである。
【０００２】
【従来の技術】
従来市販されている腹巻は主に胃や腸を保護するためのもので、骨盤部を積極的に守るためのものではない。
【０００３】
【発明が解決しようとする課題】
本発明の課題は、特に骨盤を強力に補強し、保護する全く新規な骨盤補強ベルトを提供することにある。
【０００４】
【課題を解決するための手段】
本発明の手段は次のとおりである。
【０００５】
人体の骨盤部を保護する多重構造の帯状本体から構成され、帯状本体は人体に直接触れて胴部を締付ける伸縮生地で、最も長いメッシュ構造のベルト本体と、その表面に重なり、稍々短く幅狭で強い弾力性を保有する伸縮可能で端部が固定されている二重構造の補助ベルトと、ベルト本体の裏面側の左右両側において骨盤部に重合し、取付けられる繊維材の伸縮重合片とから成り立ち、ベルト本体表面に接続し、補助ベルトは中間部の連絡片により本体に接続し、左右両端にはファスナーにより着脱可能に取付けたものである。
【０００６】
【発明の実施の形態】
図面を参照して本発明に係る骨盤補強ベルトの具体例を説明する。
【０００７】
帯状本体Ａは多重構造で、人体に接する胴部を強く締付けるベルト本体１と、その表面に重なる補助ベルト２と、ベルト本体１の裏面の左右両側に重なる重合片３により成り立つ。
【０００８】
そしてベルト本体１はメッシュ構造の生地１ａを敷いた内面を形成しており外形を波形屈曲部１ｂを組合せ、中央の最も狭い部分１ｃにより中間の左右をふくらみ形状１ｄ，１ｄになる図１に示す形状に形成して、全体を縁取り材１ｅで整えてある。
【０００９】
次に補助ベルト２は図示のようにベルト本体１の表面に重なり左右両側を２重に折曲げて重ね（図１参照）中間部を止め片４で止め２重の部分の端部をファスナー５，５で本体１の裏側に固定し、ベルト本体のメッシュ構造部に着脱可能に取付け、強く引張れば伸びて人体に接着する。
【００１０】
更にベルト本体１の裏側の重合片３は左右１枚宛あって両端を綾テープ７でベルト本体１に取付けてある。尚図に示す重合片３はベルト本体１に止め片７，７で継ぎ足し、ベルト本体１の裏側に伸縮性が保有する３枚に分けた分割重合片３ａ，３ｂ，３ｃを重ねて重合片３が表われるようにしたものである。
【００１１】
尚図中１０はベルト本体１を人体に固定するためのファスナーを示す。
【００１２】
【発明の作動】
本発明の骨盤補強ベルトは必ず肌着の上から装着するもので、骨盤を覆うようにしてベルト本体１の締め加減を調整しながら本体両端をファスナーで止める。かくして発明の効果に記載したような特徴を発揮する。
【００１３】
【発明の効果】
ベルト本体を引締め固定し、腰への負担を軽減させることができ、腹巻きとは全く異なる効果を奏するものである。特に本発明においてはベルト本体の外側の強力な補助ベルトにより締め固めるため骨盤は非常に安定し、立ち上がったり、座るなどからだの自然な動きが円滑に行われ、腰への負担を著しく軽減できる特徴がある。
【図面の簡単な説明】
【図１】表面図。
【図２】裏面図。
【図３】使用状態を示す正面図。
【図４】一部の斜視図。
【図５】同じく断面図。
【符号の説明】
Ａ      帯状本体
１      ベルト本体
１ａ    メッシュ構造の生地
１ｂ    屈曲部
１ｃ    狭い部分
１ｄ    ふくらみ形状
２      補助ベルト
３      重合片
４      止め片
５，６  ファスナー
７      綾テープ
１０    ベルト本体を止めるファスナー
【図１】
2004261430.tif 000003
【図２】
2004261430.tif 000004
【図３】
2004261430.tif 000005
【図４】
2004261430.tif 000006
【図５】
2004261430.tif 000007
(57)【要約】      （修正有）【課題】障害のある腕を安定的に支持する支持具を提供する。【解決手段】障害のある腕の支持具１は、一端と他端に係脱可能な止め具を設けた腰巻装ベルト３と、一端と他端に係脱可能な面ファスナー６を設けた腕巻布２とから成り、上記腕巻布２の中間部を上記腰巻装ベルト３に回動可能にピボット４付けし、該腕巻布２のピボット４付け位置を上記腰巻装ベルト３の一端の止め具５寄りに偏在した位置に設定する。【選択図】        図１
2004261402.tif 000002
【特許請求の範囲】
【請求項１】
一端と他端に係脱可能な止め具を設けた腰巻装ベルトと、一端と他端に係脱可能な面ファスナーを設けた腕巻布とから成り、上記腕巻布の中間部を上記腰巻装ベルトに回動可能にピボット付けし、該腕巻布のピボット付け位置を上記腰巻装ベルトの一端の止め具寄りに偏在した位置に設定したことを特徴とする障害のある腕の支持具。
【発明の詳細な説明】
【０００１】
【発明が属する技術分野】
本発明は、障害のある腕を安定的に支持する支持具に関するものである。
【０００２】
【従来の技術】
実用新案登録３０２０６４２号においては、腰巻装ベルトをその両端に設けた面ファスナーを介して腰に着脱し、このベルトに腕固定帯を斜めに交差する角度で縫着等により取り付け固定し、この腕固定帯の両端に設けた面ファスナーを介して腕に巻装し、障害のある腕を上記固定傾斜角度で支持する腕固定帯を開示している。
【０００３】
【発明が解決しようとする課題】
然しながら、従来例は、腰巻装ベルトを腰周りにおいて回動して腕固定帯を適切な腕支持位置となるように配置した場合、その配置位置によって腕の角度が変化してしまい、腕固定帯を一定の傾斜角度に固定して設ける趣旨が無意味に帰する。
また従来例は、腕の肘の回動や上腕部の動きも封ずるように長時間腕を固定してしまい、患者に苦痛を与える問題や、障害の程度によっては却って運動機能を減退せしめる問題を有している。
よって本発明は、上記問題を適切に解決する障害のある腕の支持具を提供するものである。
【０００４】
【課題を解決するための手段】
本発明は、一端と他端に係脱可能な止め具を設けた腰巻装ベルトと、一端と他端に係脱可能な面ファスナーを設けた腕巻布とから成り、上記腕巻布の中間部を上記腰巻装ベルトに回動可能にピボット付けすることにより、障害のある腕を所望の支持角度で支持でき、加えて該腕巻布のピボット付け位置を上記腰巻装ベルトの一端の止め具寄りに偏在した位置に設定し、上記腕巻布を巻装した障害のある腕を上記腰巻装ベルトの係脱に協働することを可能にする。
【０００５】
【発明の実施の形態】
図１乃至図４は、本発明に係る障害のある腕の支持具の実施形態である。
この支持具は、一端と他端に係脱可能な止め具５を設けた腰巻装ベルト３と、一端と他端に係脱可能な面ファスナー６を設けた腕巻布２とから成る。
【０００６】
腕巻布２は、巻装する前腕の長さの略全長を支持する幅と同腕に巻装し得る長さを有し、図１、図４−ａに示すように該腕巻布２の中間部において腰巻装ベルト３の一端の止め具５寄りに偏在した位置に回動可能にピボット４付けされる。
【０００７】
ウエストに巻装した腰巻装ベルト３を回動して、該腕巻布２を腰の周囲の任意の位置に配置すると、該腕巻布２を巻装した障害のある腕はピボット４を支点に自己調動して所望の支持角度で支持される。
【０００８】
図２は障害のある右腕７に本発明の支持具を装着した使用例である。
腰巻装ベルト３の一端の止め具５を、上記腕巻布２を巻装した該右腕７の手先９に相当する辺りに配置して上記ベルト３を巻装し、該右腕７を該ベルト３の係脱に協働することを可能にする。
【０００９】
図３は障害のある左腕８に本発明の支持具を装着した使用例である。
図２の使用例に示す腰巻装ベルト３の一端と他端を反転し、腰巻装ベルト３の一端の止め具５を、上記腕巻布２を巻装した該左腕８の手先９に相当する辺りに配置して上記ベルト３を巻装し、該左腕８を該ベルト３の係脱に協働することを可能にする。
【００１０】
障害のある腕が左右いずれの場合でも、腰巻装ベルト３の一端と他端を反転すれば、ピボット４付けの回動と協働して、左右いずれか一方の障害のある腕を腰巻装ベルト３の係脱作業に寄与させることができる。
【００１１】
また、好ましい例として図４―ｂに示すように、ピボット４の両端に径大なヘッド１１、即ちストッパーを有する軸部１０の長さが、上記腕巻布２と上記腰巻装ベルト３の重ね合わせ厚みより長くなるようにして、前後に遊動できるようにユニバーサルにピボット４付けする。これにより上記腕巻布２を巻装した障害のある腕は、図４―ａに示す遊びのないピボット４付けの場合の自己調動に前後の遊動が加わり、拡大した範囲における所望の支持角度で支持される。
【００１２】
障害のある腕を過剰に固定して支持する従来の方法によらず、本発明の上記手段によれば、患者の身体的自由度を増大させ、諸作業に従事する運動機能の減退を防ぎ、快復後の運動機能回復を容易にし、クオリティ・オブ・ライフの向上に寄与するものである。
本発明の障害のある腕の支持具は、上記のように構造が簡単でコストが低廉で済む。
【００１３】
【発明の効果】
以上説明したように本発明の障害のある腕の支持具は、一端と他端に係脱可能な止め具を設けた腰巻装ベルトと、一端と他端に係脱可能な面ファスナーを設けた腕巻布とから成り、上記腕巻布の中間部を上記腰巻装ベルトに回動可能にピボット付けすることにより、障害のある腕を所望の支持角度で支持し身体的疲れを軽減し、かつ該腕の運動機能の減退を防ぎ、該腕巻布のピボット付け位置を上記腰巻装ベルトの一端の止め具寄りに偏在した位置に設定し、腰巻装ベルトの止め具の係脱において上記腕巻布を巻装した障害のある腕の協働を可能にする。
【図面の簡単な説明】
【図１】本発明の障害のある腕の支持具の実施形態を展開して示す平面図である。
【図２】本発明の支持具を障害のある右腕に装着した使用状態を示す斜視図である。
【図３】本発明の支持具を障害のある左腕に装着した使用状態を示す斜視図である。
【図４】ａは腰巻装ベルトと腕巻布の回動可能なピボット付け部の断面図である。
ｂは遊動可能なピボット付け部の断面図である。
【符号の説明】
１    障害のある腕の支持具
２    腕巻布
３    腰巻装ベルト
４    ピボット
５    止め具
６    面ファスナー
７    障害のある右腕
８    障害のある左腕
９    障害のある腕の手先
１０    ピボットの軸部
１１    ヘッド
【図１】
2004261402.tif 000003
【図２】
2004261402.tif 000004
【図３】
2004261402.tif 000005
【図４】
2004261402.tif 000006
(57)【要約】【課題】冬季の運転、厚着の運転、長距離の運転による、血行不良や冷えより来る悪い諸症状、疲労緩和による快適感イライラ防止、体がぬれた時の乾燥促進等の改善を図った。【解決手段】座席２の底側４にフアンを取り付け従来の自動車暖房で座席そのものの暖房をし、この場合座席２の内側より上に向かって吹き付ける様にする、これは特にでん部を暖める、３に温風の吹き出し口を設け膝内側に温風を吹き出すようにした結果、膝の暖房に効果が有りました。座席２は座席１内部より温風が中を通り背中を暖房して座席２上部より温風を吹き出し、肩、首筋の暖房をする、さらに温風は室内の暖房になる、この装置により体感温度は従来の２倍以上になります。【選択図】  図１
2004261414.tif 000002
【特許請求の範囲】
【請求項１】
従来の自動車内暖房装置の原理をそのまま利用し、座席の底までパイプで引き、熱風を座席底部より取り入れ利用する、座席は背部分、でん部部分を一体型とし背部、肩、首筋、膝内側後方より、直接又は間接的に体の背面又は下より暖房し、体全体暖房とした、冬でも軽装の運転が可能にし、血行が促進される、それを図面について説明すれば、座席の底より熱風を取り入れフアン４を取り付け、さらに３に温風の吹き出し口を設ける、さらに座席の背中部分６に温風が通る様にし、さらに座席の最上部５に温風の吹き出し口をもうける。
【発明の詳細な説明】
【０００１】
【発明が属する技術分野】
本発明は、座席の底より従来熱源の熱風を取り入れ座席内部を利用して、でん部、背中を暖房し膝内側へ、一方は首筋へ温風を吹き出し車内の暖房をする装置である。
【０００２】
【従来の技術】
従来の車暖房は強くすると、足元、顔の部分が異常に熱くなり、特に寒さの感じる膝、背中、首筋の暖房には不完全であった。
【特許文献１】実開平６−３８７１５号公報
【０００３】
【発明が解決しようとする課題】
従来の暖房は全て体の前面より暖房する装置である、本発明は人が寒さを感じる膝、でん部、背中、首筋への暖房装置で従来暖房と併用する事により体全体の全身暖房となる。
【０００４】
【課題を解決するための手段】
座席の底部より熱源を取り入れフアンにより、でん部の真下より温風を吹きつける事により、温風は二方向え、一方向は背座席の中を通り背中部分を暖房し更に首筋に吹き出し室内の暖房となる、もう一方向は膝の内側より温風を吹き出し膝の暖房をして、室内の暖房となる。
【０００５】
【発明の実施の形態】
本発明は、冬でも軽装の運転が可能にし、体全体のバランスの取れた暖房のため血行が促進され疲労軽減によるイライラ防止につながる、それを図面について説明すれば、座席の底より熱風を取り入れフアン４をとりつけ、さらに、３に温風の吹き出し口を設ける、さらに座席の背中部分６に温風が通る様にし、さらに座席の最上部５に温風の吹き出し口を設ける。
【実施例】
【０００６】
軽自動車トラックの座席底部分を切り取り図４のように温風を入れ、吹き出し口膝内側、図３首筋、図５に温風を吹き出すようにし、約２ヶ月間走行しました、私４３年間も運転をしておりますが、こんなに気持ちの良い暖房を味わった経験はありませんでした、運転中は神経が当然前方に集中しておりますので前面よりの暖房でも少し厚着をすれば多少の寒さは我慢できたのだと思いますが、一度この心地よい暖房を経験しますと今後は是非この装置を着けた車に乗りたいと強く思っております。
【０００７】
【発明の効果】
このようにすれば、運転者の特に冷えを感じる、でん部、膝、背中、肩、首筋、車内全体の暖房が改善され、従来の暖房はそのまま使用しますので体感温度は２倍以上になります、よって血行が促進され、冬季の運転、長距離の運転、厚着の運転等、の疲労緩和に効果大であり、血行不良や冷えから来る諸症状、快適感によるイライラ防止、等の改善を図った。
【図面の簡単な説明】
【図１】座席全体図である。
【図２】座席でん部部分についての熱風取り入れ口と、フアンである。
【図３】背中部分暖房の温風通過断面図である。
【図４】背中部分暖房の温風通過面と、肩、首筋暖房の温風吹き出し口についての断面図である。
【符号の説明】
１  座席（背中の部分）
２  座席（でん部の部分）
３  温風吹き出し口（膝内側への）
４  ファン（座席真下の）
５  温風吹き出し口（肩首筋への）
６  温風通過面
【図１】
2004261414.tif 000003
【図２】
2004261414.tif 000004
【図３】
2004261414.tif 000005
【図４】
2004261414.tif 000006
(57)【要約】【課題】家庭や自動車等の室内にコンパクトに収納することができ、小型、軽量であると共に、室内及び車内の脱臭を簡単に行え、しかも悪臭の吸着、分解により脱臭材の寿命を増大させる。脱臭効果を著しく向上させる。【解決手段】人工光源では数ミリＷ／ｃｍ２程度の紫外線強度しか得られないが、太陽光の場合では約５００ミリＷ／ｃｍ２程度となるためにこの太陽光を利用することにした。光触媒と吸着材を併せ持つ多孔質体を筺体外部に出し、吹出口と兼用させることにより自然光（太陽光）を利用し分解能力の飛躍的な上昇と吸着材の能力回復ができた。内面に光通過形光触媒ハニカムを使うことにより人工光も光通過形光触媒ハニカム面と次の部屋の光触媒面や光触媒と吸着材を併せ持つ多孔質体面を照射でき効率よく利用できた。【選択図】  図１
2004261412.tif 000002
【特許請求の範囲】
【請求項１】
光触媒と吸着材を併せもつ多孔質体の外面を自然光、内面に人工光を照射させ光触媒にて臭気を分解および吸着する脱臭器。
【請求項２】
人工光源と送風機を持ち光通過形ハニカムと斜交もしくは並行した空気吹出し口を兼ねた光触媒と吸着材を併せもつ多孔質体の構造をもつ脱臭器。
【発明の詳細な説明】
【０００１】
【発明の属する技術分野】
本発明は光触媒を使用する脱臭器に関するものである。
【０００２】
【従来の技術】
関連すると考えられる先行技術
【特許文献１】
特開２０００−１１６７６２  脱臭・殺菌装置においては光源及び光触媒体は筐体内にすべて収納され、人工光源のみで脱臭されている。
【特許文献２】
特開２０００−２６２６０５  空気清浄装置においても上記と同様である。
【０００３】
【発明が解決しようとする課題】
従来の光触媒式脱臭器では、光源や触媒体を筐体内に持ち一定の能力しか出せないものであった。吸着材を併せもつ構造であったとしても、その吸着材を頻繁に交換する必要があった。
そこで本発明は太陽光などの自然光中に含まれる紫外線の量は、ブラックライトやＵＶＬＥＤに比べ４００〜５００倍の量がある。この自然光を利用して光触媒の能力を上昇させるとともに、吸着材の長寿命化と高効率な臭気分解を目的とする。
【０００４】
【課題を解決するための手段】
本発明は、筺体の上面を開放し、この面に自然光を十分に取り入れかつ、人工光の外部への漏出を防止する構造を持たせることにより、上記課題を解決したものである。
【０００５】
【発明実施の形態】
本発明を車用に利用した例について示すものである。
車室内で太陽光があたる場所に設置する必要から、ダッシュボードの上やリヤシート後部と限定され寸法にも制約を受ける。外からの日照をりようするので、受光面の角度、内面から照射するＵＶＬＥＤによる紫外線が、上面の多孔質体から外部に漏れ出さない角度。多孔質体を吹出し口として使った。
従来の光触媒ハニカムの配置は特許文献２のように、光源から出る紫外線を外部に逃がさないように配置されていたが、本発明では光通過形ハニカムを使い、積極的に紫外線を通過させ、次の部屋の光触媒を照射して分解効率を上げた。
【０００６】
本発明の脱臭器は図１に示されるように光通過形光触媒ハニカム４、光触媒面５、吸着材と光触媒を併せ持つ多孔質体６、人工光源となるＵＶＬＥＤ３，送風機２、プレフィルター１及び本体ケース７にて構成されている。
【０００７】
光通過形光触媒ハニカムは、金属性などの反射効率のよいハニカムを使い、ハニカム内面に極めて透明に近い酸化チタンなどのコーティングを施したものである。図２に示すように光源に対し、ハニカム目を並行させることにより、光は直接Ａまたは反射Ｂして通過するもので、照明用のルーバーと同じような働きをする。光はハニカム内面にも十分に照射されるとともに通過した光は次の部屋の光触媒面に当たり、におい物質の分解をする。
【０００８】
光触媒と吸着材を併せ持つ多孔質体とは、活性炭繊維等に光触媒を担持させたもので、ハニカムやコルゲート構造のものである。このように通気性がよく、内面にまで光が当たり、光触媒活性化し、におい物質を分解するものである。
【０００９】
人工光とは、ブラックライト、水銀灯、ＵＶＬＥＤなどをさし光触媒を活性化させる波長を出す光源の事を指すものである。
【００１０】
夜などの暗い場合には、人工光にしか頼れない。送風機２によって吸込まれたにおい物質は、ＵＶＬＥＤ３からの紫外線が光通過形光触媒ハニカム４に当たり触媒活性化によりにおい物質を分解する。更にハニカム４を通過した紫外線は光触媒面５及び光触媒と吸着材を併せ持つ多孔質体６の内面に当たり、におい物質を分解する。分解できなかったものは、多孔質体６により吸着され脱臭される。
【００１１】
自然光があたった場合は、００１０項に加え光触媒と吸着材を併せ持つ多孔質体６の外面に光が当たり触媒活性によりにおい物質を分解する。更に光触媒と吸着材を併せ持つ多孔質体中に吸着されていた、におい物質も分解され、吸着材の性能回復となる。図３参照
【００１２】
【発明の効果】
以上のように、本発明は、人工光と自然光を利用することにより、分解能力の向上と吸着材の性能回復ができ、長寿命となった。更に光通過形光触媒ハニカムを使うことにより、一つの人工光源でハニカムによる分解と吸着材の性能回復ができるようになった。
この発明は実施例に示すように、自動車用はもちろん家庭用、冷蔵庫、靴箱、靴、ブーツ、ゴミ箱、ペット用などに利用できるようになった。
【図面の簡単な説明】
【図１】本発明にかかる脱臭器の構造を示す断面図である。
【図２】光通過形光触媒ハニカムを説明する図である。
【図３】自然光と人工光が同時に照射されているときの図である。
【図４】光通過形光触媒ハニカムと並行した光触媒と吸着材を併せ持つ多孔質体の構造を示す図である。
【符号の説明】
１・プレフィルター兼吸気口
２・送風機
３・光源
４・光通過形光触媒ハニカム
５・光触媒面
６・光触媒と吸着材を併せ持つ多孔質材兼排出口
７・本体ケース
Ａ・直接通過光
Ｂ・反射光
【図１】
2004261412.tif 000003
【図２】
2004261412.tif 000004
【図３】
2004261412.tif 000005
【図４】
2004261412.tif 000006
(57)【要約】【目的】乗り物用座席と着座者の頭部及び背の間に挟んで使用するだけで、着座者の頭部が十分に支持されて身体全体の倒れを防止することができ、かつ軽量で簡単にコンパクト形態にすることができる携帯に便利な枕を提供する。特に、ジュニアシート等を装着している座席では、子供が眠った状態でも、簡単に取り付け及び取り外しができ、乗り物内で子供が安全で快適に眠ることができる枕を提供する。【構成】空気充填によって側頭部を覆う形状に膨張成形される枕１に付属して空気充填によって板状に膨張成形される背面パット２を設け、枕１及び背面パット２の裏側の座席と接触する部分の一部、好ましくは全面に滑り止めシート３，４を取り付けた構造である。そして、枕１内の空気室、及び背面パット２内の空気室を互いに連通させ、かつ何れかの一箇所に空気注入栓５を設ける。【選択図】        図１
2004261479.tif 000002
【特許請求の範囲】
【請求項１】
空気充填によって側頭部を覆う形状に膨張成形される枕１の裏側の座席との接触部分に滑り止めシート３を一部、好ましくは全面に取り付け、摩擦力によって携帯枕を固定させ、頭部を安定化させることを特徴とする座席用携帯枕。
【請求項２】
着座者の頭部当接部には、空気充填によって側頭部を覆う形状の枕１を有し、背部当接部には、枕１に付属して空気充填によって板状に膨張成形される背面パット２を設けたことを特徴とする請求項１に記載の座席用携帯枕。
【請求項３】
空気充填によって板状に膨張成形される背面パット２の裏側の座席との接触部分に滑り止めシート４を一部、好ましくは全面に取り付け、摩擦力によって携帯枕を固定させ、頭部を安定化させることを特徴とする請求項１又は２に記載の座席用携帯枕。
【発明の詳細な説明】
【０００１】
【発明が属する技術分野】
本発明は、空気充填によって側頭部を覆う形状に膨張成形した枕１及び板状に膨張成形した背面パット２の裏側の座席との接触部分に滑り止めシート３，４を一部、好ましくは全面に取り付けて携帯枕を固定させ、着座者の頭部を安定化させるようにしたものである。
【０００２】
【従来の技術】
従来、座席用携帯枕は着座者の首で挟んで頭部を固定させる方式が一般的である。しかし、頭部を固定する能力が弱く、かつ、着座者に圧迫感を与えて使用感に問題があった。
【０００３】
座席シートに取り付け具を装着して頭部を固定させる方式では、しっかりと頭部を安定化させることができるが、取り付け作業が必要で、装着するには座席背面を使用する。そのため、座席背面に後ろの着座者の簡易テーブルが付属している乗り物用座席では、使用できなかった。
【０００４】
【発明の実施の形態】
本発明は、取り付け作業が必要なく、かつ座席背面を使用せずに着座者頭部の左右の振れを防止することができるようにしたもので、空気充填によって所望形状に膨張成形する枕のため旅行等の携帯に便利である。
【０００５】
それを図面について説明すれば、空気充填によって側頭部を覆う形状に膨張成形される枕１に付属して空気充填によって板状に膨張成形される背面パット２を設け、枕１及び背面パット２の裏側の座席と接触する部分の一部、好ましくは全面に滑り止めシート３，４を取り付けた構造である。そして、枕１内の空気室、及び背面パット２内の空気室を互いに連通させ、かつ何れかの一箇所に空気注入栓５を設ける。
【０００６】
【発明の効果】
このようにすれば、枕１の滑り止めシート３によって、使用時に多少の振動があっても、頭部が支持されて身体全体の倒れを防止することができる。さらに、背面パット２を付属し滑り止めシート４を取り付けることで、より携帯枕が固定できる。しかも、着座者の頭部及び背と座席で挟んで携帯枕を固定するため快適性に優れている。特に、ジュニアシート等を装着している座席では、子供が眠った状態においても簡単に取り付け及び取り外しができ、乗り物内で子供が安全で快適に眠ることができる。又、軽量で簡単にコンパクト形態にすることができるので、旅行等の携帯に便利である。
【図面の簡単な説明】
【図１】座席用携帯枕の斜視図である。
【図２】座席用携帯枕の斜視図である。
【符号の説明】
１    枕
２    背面パット
３    滑り止めシート
４    滑り止めシート
５    空気注入栓
【図１】
2004261479.tif 000003
【図２】
2004261479.tif 000004
(57)【要約】【課題】湯漏れ及び高価なシリンダーライナーの摩耗が従来の機械より遥かに少なく、製品の制造費を１／２に出来るホットチャンバー型ダイカストマシンを提供する。【解決手段】プランジャー５の下端に細軸部５１を設けて段部５１ａを形成し、この段部５１ａに断面が円形、角形等の線材を用いて作った密間巻の多重コイル状リング５２を嵌装し、前記細軸部５１の端部に多重コイル状リング５２の掛止盤５３を溶接固定する。【選択図】  図４
2004261841.tif 000002
【特許請求の範囲】
【請求項１】
プランジャーの先端に細軸部を設けて段部を形成し、この段部に密間巻した多重コイル状リングを嵌装し、前記細軸部の端部に前記多重コイル状リングの掛止部材を固定したことを特徴とするホットチャンバー型ダイカストマシン。
【発明の詳細な説明】
【０００１】
【発明の属する技術分野】
本発明は、ホットチャンバー型ダイカストマシンに関するものである。
【０００２】
【従来の技術】
周知のように、ホットチャンバー型ダイカストマシンは、図１のように、メルティングポット１内の溶解金属２をグースネック本体３のシリンダー４内に導入し、プランジャー５を降下させてノズル６の噴出孔６ａからホットチャンバー７に設けた金型８に溶解金属２を注入して製品を鋳造する機械であるが、気密性付与部材の構造上、次第に湯漏れを生じ、注湯圧が低下して不良品が生じるようになるという問題と、シリンダーライナー９が削られて寿命が短く、非常に高価なシリンダーライナー９を屡々交換しなければならず、機械の維持に経費を要するという問題があった。
【０００３】
すなわち、従来の気密性付与部材であるプランジャーリング１０は、図２の（ａ）、（ｂ）、（ｃ）に示すように、リング削り面合わせ部Ｐの形状に種々工夫を加えているが、Ｃリングであるため、気密性を増すため、これを図３に示すようにプランジャー５に複数個設けてもプランジャー５が往復動するにつれて、リング削り面合わせ部Ｐが図３の（ｂ）に示すように、一線上に揃ってしまい、プランジャー５をシリンダー４内に押し込んだとき、これらのリング削り面合わせ部Ｐ，Ｐ，Ｐを通って溶解金属が上方へ漏れてしまい、気密性が低下しまうことになっていた。
【０００４】
また、Ｃリングから成るプランジャーリング１０は細巾であるため、７００℃前後のシリンダー４内の湯中を上下すると、膨張してプランジャー５の外側に突出して恰もシュレッダーの刃の状態となり、シリンダーライナー９を削ることになる。そのため非常に高価なシリンダーライナー９を屡々交換しなければならないので、機械の維持に経費を要し、製品１個当りの単価に影響を及ぼしていた。
【０００５】
【特許文献１】
実公昭４７−１６５７４号公報
【０００６】
【発明が解決しようとする課題】
そこで本発明は、湯漏れ及び高価なシリンダーライナーの摩耗が従来の機械より遥かに少なく、製品の制造費を１／２に出来るホットチャンバー型ダイカストマシンを提供しようとするものである。
【０００７】
【課題を解決するための手段】
本発明は、上記の課題を解決するためになされたもので、プランジャーの先端に細軸部を設けて段部を形成し、この段部に密間巻した多重コイル状リングを嵌装し、前記細軸部の端部に前記多重コイル状リングの掛止部材を固定したものである。
【０００８】
多重コイル状リングは、断面が円形、角形、角にＲを付した角形の線材を多重密間巻し、両端を軸心に対し、垂直にカットしたものが用いられる。
【０００９】
【発明の実施の形態】
図４は、本発明の一実施例の縦断面図で、３はグースネック本体、４はシリンダー、５はプランジャーである。
【００１０】
しかして、この実施例では、プランジャー５の下端（先端）に細軸部５１を設けて段部５１ａを形成し、この段部５１ａに断面が円形の線材を用いて作った密間巻の多重コイル状リング５２を嵌装し、細軸部５１の端部に多重コイル状リング５２の掛止盤５３を溶接固定した。なお、５４は、細軸部５１の端面と外周面との連通孔である。
【００１１】
図４に示す実施例では、図５の（ａ）に示すような円形の線材を用いた多重コイル状リング５２を使用したが、図５の（ｂ）に示すような断面角形の線材や、図５の（ｃ）に示すような角にＲを付した角形の線材を多重密間巻したものでもよい。
【００１２】
このように、気密性付与部材として多重密間巻した多重コイル状リングを用いると、７００℃前後の高温のシリンダー４の湯中を上下動しても、従来の細巾のＣリングを用いた場合のように湯漏れや注湯圧の低下がないばかりか、シリンダーライナー９の摩擦が著しく軽減され、シリンダーライナー９の寿命が従来より遥かに延びる。従って、従来より製品コストを低減させることが出来る。
【００１３】
【発明の効果】
以上、本発明によれば湯漏れ及びシリンダーライナーの摩擦が少なく機械の維持費が少なくて済むホットチャンバー型ダイカストマシンが得られる。
【図面の簡単な説明】
【図１】従来のホットチャンバー型ダイカストマシンの縦断面図。
【図２】従来の各種プランジャーリングの斜視図。
【図３】従来のプランジャーリングの問題点の説明図。
【図４】本発明の一実施例の拡大縦断面図。
【図５】本発明におけるプランジャーリングの各種実施例の正面図。
【符号の説明】
１    メルティングポット
２    溶解金属
３    グースネック本体
４    シリンダー
５    プランジャー
６    ノズル
７    ホットチャンバー
８    金型
９    シリンダーライナー
５１  細軸部
５２  コイル状リング
５３  掛止盤
５４  連通孔
【図１】
2004261841.tif 000003
【図２】
2004261841.tif 000004
【図３】
2004261841.tif 000005
【図４】
2004261841.tif 000006
【図５】
2004261841.tif 000007
(57)【要約】      （修正有）【課題】小型台車を設置面から持ち上げたり、走行車輪と直角方向に移動できるようにして、取り扱いを便利にする。【解決手段】小型台車の走行車輪と直角方向にレバ３を設け、取付けピン５を中心に旋回させることにより、小型台車１を浮き上がらせ電磁石の接地拘束力を弱め、小型台車１を設置面から持ち上げたり、移動させて位置の微調整を簡便にできるようにした。また、レバ３の接地端に小さなローラ６を取り付けることにより、手動で位置の微調整を可能にした。さらに、スプリング７を利用して、レバ３の接地端が接地しない位置に静止できるようにすることにより、レバ３により持ち上げた状態でハンドル４から手を離すことにより、自動的に設置面に拘束される状態に復旧することを可能にした。【選択図】  図２
2004261860.tif 000002
【特許請求の範囲】
【請求項１】
自動溶接機台車など電磁石による設置面への拘束を解除するため、台車の両側端にピンにより取りつけられる２本のレバーを、ハンドル（鋼管）によりコの字状に結合したハンドル装置。
【発明の詳細な説明】
【０００１】
【発明の属する技術分野】
本発明は、例えば、自動溶接機など電磁石により設置面にはりつき走行車輪などにより移動させる小型の台車を、容易に電磁石の拘束を解除できるようにしたハンドル装置である。
【０００２】
【発明が解決しようとする課題】
自動溶接機など電磁石により設置面にはりつき、走行車輪などによって平面状を一定方向に移動する小型台車は、一旦設置面に設置させると、持ち上げるためには電磁石の磁力による拘束力以上の大きな力を加えてその拘束を解除する必要があり、したがって走行車輪に直角方向の移動や微調整、オーバーハングしている下部に台車をセットする場合などに、困難が伴うなどの問題点があった。
【０００３】
【発明の目的】
本発明は、上記の課題を解決するために、小型台車の走行車輪と直角方向の両端面に、２本のレバーと鋼管によるコの字状のハンドルをピンにより取付け、レバーをピンを中心に旋回させることにより、小型台車を設置面から浮き上がらせて電磁石の拘束を解除し、容易に撤去・移動・設置させることを目的としている。
【０００４】
また、レバーの接地面に小型ローラを取付けることにより、小型台車の車輪と直角方向にスムースに移動することを可能とし、位置の微調整やオーバーハング下部への台車の挿入を容易に行えるようにするとともに、ハンドルをはなせばスプリングによりレバーの接地が解放され、電磁石の拘束により小型台車は移動しないようになる。
【０００５】
【課題を解決するための手段】
本発明に係わる小型台車ハンドル装置は、レバーにより台車を接地面から浮き上がらせることにより、台車に取りつけられた電磁石と設置面の距離を大きくし、電磁石による拘束力を小さくすかあるいは拘束力なくすことにより、従来実現できなかった課題を解決するための手段としている。
【０００６】
また小型台車ハンドル装置のレバーの接地端に、小型のローラを取付けることにより、台車の手動による簡便な移動を可能にしている。
【０００７】
【発明の作用】
本発明に係わる小型台車ハンドル装置は、ハンドルを取り付けピンを中心に旋回させることにより、レバーの接地端が接地して小型台車を設置面から浮き上がらせ、小型台車に取りつけられている電磁石の接地拘束力を弱め、小型台車を持ち上げたり、移動することを可能とした。
【０００８】
また、本発明に係わる小型台車ハンドルにおいて、レバーの接地端に小型のローラを取付けることにより、手動で容易に移動可能とし、設置位置の微調整やオーバーハング下部への設置を可能にした。
【０００９】
さらに、ハンドル装置をスプリングを利用して、レバーの接地端を接地しない位置に静止できるようにすることにより、ハンドルから手を離すことにより自動的にハンドル装置が解放され、小型台車に取り付けられた電磁石により設置面へ拘束されている状態に復旧する。
【００１０】
【実施例】
以下、本発明に係わる小型台車ハンドル装置を図面に基づいて説明する。
【００１１】
図１ないし図２は、本発明係にわる小型台車ハンドル装置の一実施例を示している。
【００１２】
図１及び図面２に示すように、小型台車ハンドル装置は、２個のレバー３とレバー３を接続するハンドル（鋼管）４及びレバー３を小型台車１に取付けるピン５、レバー３の接地面に取りつけられたローラ６、レバー３を所定位置に復旧させるスプリング７によって構成されている。
【００１３】
図面１に示すように、小型台車ハンドル装置は、自動溶接機台車１に取付けられている走行車輪２に直角となる自動溶接機台車の両側面にピン５により取付けられており、レバー３はハンドル４を操作することにより一体となって作動する。
【００１４】
図面２−イに示すように、小型台車ハンドル装置のレバー３は、ピン５を中心に旋回させることが可能なように配置され、スプリング７によってローラ６が接地しない位置で静止するようになっている。
【００１５】
図面２−ロに示すように、小型台車ハンドル装置のレバー３を押し下げることによりローラ６が接地し、台車全体を押し上げ走行車輪２が持ちあがる。そのためローラ６により走行車輪直角方向の移動が可能になると共に、台車１に取付けられた電磁石の磁力が小さくなり台車１を持ち上げやすくなる。
【００１６】
【発明の効果】
以上説明したように、本発明に係わる小型台車ハンドル装置は、自動溶接機台車などの電磁石により設置面にはりついて走行させる小型台車の、取り扱いや操作性を大きく飛躍させ、安全に使用できるなど、優れた効果がもたらされる。
【図面の簡単な説明】
【図１】本発明に係わる小型台車ハンドル装置の一実施例を示す、平面図である。
【図２】図１に示した小型台車ハンドル装置側面説明図で、図１−ロは小型台車接地状態を示し、図−ロは小型台車が持ちあがった状態を示す。
【符号の説明】
１  小型台車本体
２  小型台車走行車輪
３  レバー
４  ハンドル（鋼管）
５  取付けピン
６  ローラ
７  スプリング
【図１】
2004261860.tif 000003
【図２】
2004261860.tif 000004
(57)【要約】【課題】  中央の袋開口部より保冷剤を挿入し、帯状ベルトに取り付けた面ファスナーＡと面ファスナーＢを貼り付け固定し、帯状ベルトを輪状にしながら面ファスナーＤに、面ファスナーＣを貼り付け固定した、解熱促進用具。【解決手段】  中央の袋の横、開口部より保冷剤を挿入し、袋の蓋に取り付けた面ファスナーＡを面ファスナーＢに貼り付け、袋の蓋を閉じる。  帯状の両端に取り付けた、面ファスナーＣを面ファスナーＤに貼り付け固定する。  本発明は、以上のような構造よりなる解熱促進用具である。【選択図】    図１
2004261604.tif 000002
【特許請求の範囲】
【請求項１】
中央部の開口部より保冷剤を挿入し、帯状ベルトに取り付けた面ファスナーＡと面ファスナーＢを貼り付け固定し、帯状ベルトを輪状にしながら面ファスナーＤに面ファスナーＣを貼り付け固定した、解熱促進用具。
【請求項２】
中央部の開口部及び、帯状ベルト両端の係止部が面ファスナーであることを特徴とした解熱促進用具。
【請求項３】
請求項１の中央開口部に、蓋を有することを特徴とした解熱促進用具。
【請求項４】
請求項１の中央開口部及び、両端係止部が面ファスナーであることを特徴とした解熱促進用具。
【発明の詳細な説明】
【技術分野】
【０００１】  この発明は、中央部の開口部より保冷剤を挿入し帯状ベルトに取り付けた面ファスナーＡと面ファスナーＢを貼り付け固定し、帯状ベルトを輪状にしながら面ファスナーＤに面ファスナーＣを貼り付け固定したもので、薬や氷を使わずに身体の高熱を効率的に下げるための、解熱促進用具に関するものである。
【背景技術】
【０００２】  解熱促進のためには、頭部冷却でなく脇の下、太股の間、ひざの裏側を冷却すことが重要なのに、従来は、高熱時、主に後頭部又は額を氷枕や保冷剤で冷やしていた。
又、脇の下に氷や保冷剤の入った袋を、はさんだり肩から吊り下げたりしていた。
【発明の開示】
【発明が解決しようとする課題】
【０００３】  これには、次のような欠点があった。
（イ）  頭部を冷やしても早急な解熱効果は得られず、又、従来の保冷剤は直接体につけ      けるもので、冷たすぎて利用するのが不可能だった。
（ロ）  脇の下を保冷剤で冷やすための、入れ物の形状が体に合わず装着者に負担をかけ      又、促進用具のずれを防止することはむずかしかった。
（ハ）  脇の下による解熱の際、従来の促進用具では保冷剤交換時に一度体から外して交      換をしなくてはならず、不便であった。
（二）  解熱効果をさらに高めるためには、脇の下だけでなく、太股の間、ひざの裏を冷      やすことが効果的であった。ところが、従来の方法は、これを考慮しておらず解熱      促進用具の形状も脇の下以外は、利用がむずかしかった。
（ホ）  体に直接触れるものでありながら、そのことを考慮した素材のものがなかった。
本発明は、これらの問題点を解決するためになされたものである。
【課題を解決するための手段】
【０００４】  中央の袋の横、開口部より保冷剤を挿入し、袋の蓋に取り付けた面ファスナーＡを面ファスナーＢに貼り付け、袋の口を閉じる。
帯状の両端に取り付けた、面ファスナーＣを面ファスナーＤに貼り付け固定する。
本発明は、以上のような構造よりなる解熱促進用具である。
【発明の効果】
【０００５】  簡単な構造で、水漏れの心配がなく、帯状ベルトに角度を持たせたことと、面ファスナー２ヶ所で固定したことによりずれを防止できる。
袋中央部の袋が小さいことで装着時の違和感を最小限に止め、解熱促進用具を装着したまま保冷剤の交換ができる。
体に直接触れても違和感のない素材で構成されている。
脇の下・太股の間・ひざの裏側に、まったく同じ構造の促進用具を利用することが可能で、保冷剤を再利用することから、経済的に解熱促進効果を得ることができる。
【発明を実施するための最良の形態】
【０００６】  以下、本発明の実地の形態について説明する。
（イ）  防水処理した帯状布の、中央部の袋（１）横の開口部（４）より保冷剤（２）を      挿入する。
（ロ）  開口部の上部蓋（３）に取り付けた面ファスナーＡ（５）を帯状ベルト（９）に      取り付けた面ファスナーＢ（６）に貼り付け固定する。
（ハ）  帯状ベルト（９）の両端に取り付けた面ファスナーＣ（７）を面ファスナーＤ（      ８）に重ね合わせ輪状になるように腋の下、太腿の間、ひざの裏側に巻き付け固定      する。
（二）  帯状ベルト（９）を脇の下、太股の間、ひざの裏側に巻き付けた時、ずれたり、      ゆがんだりしないように帯状ベルトの横方向（１０）は、斜めに構成されている。
（ホ）  面ファスナーＤ（８）は、使用者の体の大きさに合わせ調節が出来るように、十      分な長さを有する。
本発明は以上のような構造で、素材は、保冷剤（２）の水滴が出ないよう布の裏側に防水処理がされている。
これを使用するときは、中央部の袋（１）を脇の下・太股の間・ひざの裏側にあたるよに位置し、帯状ベルト（９）を寝ている状態の体の下側に巻き込み、帯状ベルト（９）の両端にある面ファスナーＣ（７）を面ファスナーＤ（８）の上に重ね合わせ固定する。
寝ている状態時に図４に示す様に、開口部が手前側（胸側）となり、保冷剤の（２）出し入れは解熱促進用具を着用したまま可能となる。
しかも、帯状ベルトの横方向（１０）は斜めの形状であるため、着用後もずれることがない。
【実施例１】
【０００７】  帯状ベルト（９）本体の素材は、生地、不繊布、ビニール、防水紙などで構成しても良く、表面に水滴がにじみでない素材で構成すれば良い。
【実施例２】
【０００８】  保冷剤を入れる中央の袋（１）の横開口部（４）と、本体を体に固定するための部分を面ファスナーＡ（５）、Ｂ（６）、Ｃ（７）、Ｄ（８）で固定するような構成になっているが、これをボタン、スナップ、フォック、紐などで固定しても良い。
【実施例３】
【０００９】  保冷剤を挿入する開口部は、図１に示す帯状ベルトの中央部の袋（１）の横ではなく、中央上部、中央部裏側に蓋を取り付け構成しても良い。
【実施例４】
【００１０】  保冷剤を入れる中央部の袋（１）のみを作り、体に固定する部分は、同素材で作らず紐などを取り付け、体に固定するように構成しても良い。
【実施例５】
【００１１】  帯状ベルト（９）にフックを取り付け、洗濯をした際にフックを引っ掛け、乾かしても良い。
【実施例６】
【００１２】  帯状ベルト（９）全体を、平面で構成せず、全体を細い円柱形で構成し和上に体に密着する形状にして固定しても良い。
【図面の簡単な説明】
【０００１３】
【図１】本発明の平面図
【図２】本発明の底面図
【図３】本発明の断面図
【図４】本発明を使用している説明図
【図５】本発明を体の各部位に使用している説明図
【符号の説明】
【０００１４】      １  中央部の袋
２  保冷剤
３  上部蓋
４  開口部
５  面ファスナーＡ
６  面ファスナーＢ
７  面ファスナーＣ
８  面ファスナーＤ
９  帯状ベルト
１０  帯状ベルトの横方向
【図１】
2004261604.tif 000003
【図２】
2004261604.tif 000004
【図３】
2004261604.tif 000005
【図４】
2004261604.tif 000006
【図５】
2004261604.tif 000007
(57)【要約】【課題】本発明は、複数の異なる外径と底部形状を有するチューブに使用できるアダプタを提供することを課題とする。【解決手段】本発明は、遠心分離用のアングルロータのチューブ挿入穴、又はスイングロータのバケット内部に、それぞれ適合する外部寸法を有するチューブを保持するアダプタにおいて、前記アダプタの底部に取り付け部を設け、該取り付け部に前記チューブの底部形状に適合する部位を有するアダプタ部材を着脱可能に装着したことを特徴とする。【特許請求の範囲】
【請求項１】
遠心分離用のアングルロータのチューブ挿入穴、又はスイングロータのバケット内部に、それぞれ適合する外部寸法を有するチューブを保持する遠心分離用容器アダプタにおいて、前記アダプタの底部に取り付け部を設け、該取り付け部に前記チューブの底部形状に適合する部位を有するアダプタ部材を着脱可能に装着したことを特徴とする遠心分離用容器アダプタ。
【請求項２】
前記アダプタ部品は、前記取り付け部に螺合によって着脱可能に装着したことを特徴とする請求項１記載の遠心分離用容器アダプタ。
【請求３】前記アダプタ部品は、前記取り付け部に磁石によって着脱可能に装着したことを特徴とする請求項１記載の遠心分離用容器アダプタ。
【請求４】前記アダプタ部品は、弾性嵌合によって前記取り付け部に着脱可能に装着したことを特徴とする請求項１記載の遠心分離用容器アダプタ。
【請求５】前記アダプタ部品は、嵌合によって前記取り付け部に着脱可能に装着したことを特徴とする請求項１記載の遠心分離用容器アダプタ。
【発明の詳細な説明】
【０００１】
【発明が属する技術分野】
本発明は、チューブ（試験管）を遠心分離機にかけるときに該チューブを保持するためにアングルロータのチューブ挿入穴、又はスイングロータのバケットに着他説自在に装着される遠心分離用容器アダプタに関するものである。
【０００２】
【従来の技術】
従来は、それぞれのチューブの外径と底部形状ごとに適合するチューブ挿入穴を有するアダプタが用意されており、チューブの種類毎に異なるアダプタを準備する必要があった。チューブの底部形状には、平底または丸底または円錐底底等を囲むように配置した円筒部を有する形状がある。
【特許文献】
実開平６−４５６５０
【０００３】
【発明が解決しようとする課題】
従来のアダプタは、１種類の外径と底部形状を有するチューブにしか使用できなかった。
【０００４】
本発明の目的は、複数の異なる底部形状を有するチューブを使用できるアダプタを提供することである。
【０００５】
【発明が解決しようとする手段】
上記目的は、アダプタの底部に取り付け部を設け、前記取り付け部にチューブ底部の形状に適合する部位を有するアダプタ部材を着脱可能に装着したことによって達成される。
【０００６】
【発明の実施の形態】
以下、本発明の実施例を図面によって説明する。
【０００７】
図１、図２において、１は、アングルロータのチューブ挿入穴、又はスイングロータのバケットに挿入されるアダプタである。アダプタ１は、チューブ挿入部５の底部であるアダプタ底部を貫通して形成した取り付け部６を有し、該取り付け部にアダプタ部品２を着脱可能に装着している。アダプタ部品２は、上面にチューブの円錐底が適合するチューブ受け部８を有している。アダプタ部品２は、取り付け部６にその着脱部７をねじ嵌合によって装着している。アダプタ部品２の装着方法はとしては、磁石、または弾力的な嵌めあいとしても良い。
【０００８】
図３は、第２の実施例を示したもので、着脱部７の上部でアダプタ１と接する面１０は適合する寸法によりはめ合わせるかまたはゴム等の緩衝部を設ける。
【０００９】
図４は、本発明の第３本実施例であり、アダプタ１は、チューブ外径がチューブ挿入部５の内径寸法より小さく底部形状が丸底であるチューブに適用される。着脱部７の上部でアダプタ部品１と接する面１１は適合する寸法によりはめ合わせるかまたはゴム等の緩衝部を設ける。
【００１０】
また、アダプタ１には複数のチューブ挿入穴１２を設けることも可能である。アダプタ部品２、３、４の底部の穴９は、アダプタ部品１とはめ合わせる際にアダプタ部品２、３、４を支持するためのものである。
【００１１】
【発明の効果】
本発明によれば、複数の異なる底部形状を有するチューブを使用できる。
【図面の簡単な説明】
【図１】本発明の第１の実施例を示す縦断面図である。
【図２】第１の実施例において１とアダプタ部品をアダプタから外した縦断面図である。
【図３】本発明の第２の実施例を示す縦断面図である。
【図４】本発明の第２の実施例を示す縦断面図である。
【符号の説明】
１はアダプタ、２、３、４はアダプタ部品、５はチューブ挿入部、６は取り付け部、７は着脱部である、８はチューブ受け部である。
【図１】
2004261699.tif 000002
【図２】
2004261699.tif 000003
【図３】
2004261699.tif 000004
【図４】
2004261699.tif 000005